【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
境目の両側を見開き及び重ね合わせ可能な見開き部を有するベース側シート，
前記見開き部の境目と略平行な第１の折り目を介して連続する一対の起立片と、前記第１の折り目と略平行な第２の折り目を介して前記起立片の端部に連続しており、前記境目から所定の間隔をあけて前記見開き部に固定される一対の固定片とを有する起立シート，
前記見開き部を閉じた状態で前記一対の起立片の内側に収納されており、前記見開き部を開いた状態で前記一対の起立片の側端から一部が外側に突出する突出シート，
を備えており、
前記突出シートが略帯状体であって、
長さ方向と略直交する方向に、略中央部に形成された第１の折り目，
該第１の折り目の両側に所定の間隔をおいて形成されており、該第１の折り目と非平行な一対の第２の折り目，
該第２の折り目と略帯状体の両端の間に形成されており、前記第１の折り目と非平行な一対の第３の折り目，
を備えるとともに、
前記第２及び第３の折り目が、前記第１の折り目と逆方向に折り曲げられ、前記第３の折り目から略帯状体の端部までの部分が、前記一対の起立片の内側で前記見開き部に固定され、
前記第１及び第２の折り目間に形成された把持部で、略中央部に開口部を有するディスク状の被保持体を把持するとともに、
前記把持部に、前記被保持体の開口部に係合する係止片，
を設けたことを特徴とするポップアップ構造体。
【請求項２】
前記係止片を、前記把持部に略半円状の切り込みを形成し、折り返して形成したことを特徴とする請求項１記載のポップアップ構造体。
【請求項３】
前記突出シートの第１の折り目に、前記被保持体の一部を挟み込み可能なスリット，
を設けたことを特徴とする請求項１又は２記載のポップアップ構造体。
【請求項４】
前記起立シートの第１の折り目又は起立片に設けられたスリット，
該スリットに着脱可能に貫通し、前記見開き部を開いた状態で前記突出シートに係合し、該突出シートが前記起立シートの側端から外部に突出するのを防止する係合片，
を備えたことを特徴とする請求項１〜３のいずれか一項に記載のポップアップ構造体。
【請求項５】
前記起立シートの固定片と前記ベース側シートの見開き部の間に、他の被保持体の収納部を設けたことを特徴とする請求項１〜４のいずれか一項に記載のポップアップ構造体。
【請求項６】
前記起立シートの固定片に、スリットないし切り抜き部を設けたことを特徴とする請求項５記載のポップアップ構造体。
【請求項７】
前記起立シートの一対の起立片に、前記見開き部を開いたときに起立片の内側又は外側に折り返し可能な折り返し部を切り込みによって形成し、該折り返し部の折り返しによって、他の被保持体を保持可能な窓を形成したことを特徴とする請求項１〜６のいずれか一項に記載のポップアップ構造体。
【請求項８】
前記折り返し部に、筋，凹凸，折り目，切り落とし部の少なくともいずれかを設けたことを特徴とする請求項７記載のポップアップ構造体。
【請求項９】
前記ベース側シート又は起立シートの少なくともいずれかに、ミシン目を設けたことを特徴とする請求項１〜８のいずれか一項に記載のポップアップ構造体。
【請求項１０】
前記ベース側シートに、前記境目に跨る切り込みによって、前記見開き部を開いたときに前記ベース側シートに対する起き返しにより前記境目の折り癖を矯正する折り癖矯正片を形成したことを特徴とする請求項１〜９のいずれか一項に記載のポップアップ構造体。
【手続補正２】
【補正対象書類名】明細書
【補正対象項目名】０００５
【補正方法】変更
【補正の内容】
【０００５】
前記目的を達成するため、本発明のポップアップ構造体は、境目の両側を見開き及び重ね合わせ可能な見開き部を有するベース側シート，前記見開き部の境目と略平行な第１の折り目を介して連続する一対の起立片と、前記第１の折り目と略平行な第２の折り目を介して前記起立片の端部に連続しており、前記境目から所定の間隔をあけて前記見開き部に固定される一対の固定片とを有する起立シート，前記見開き部を閉じた状態で前記一対の起立片の内側に収納されており、前記見開き部を開いた状態で前記一対の起立片の側端から一部が外側に突出する突出シート，を備えており、前記突出シートが略帯状体であって、長さ方向と略直交する方向に、略中央部に形成された第１の折り目，該第１の折り目の両側に所定の間隔をおいて形成されており、該第１の折り目と非平行な一対の第２の折り目，該第２の折り目と略帯状体の両端の間に形成されており、前記第１の折り目と非平行な一対の第３の折り目，を備えるとともに、前記第２及び第３の折り目が、前記第１の折り目と逆方向に折り曲げられ、前記第３の折り目から略帯状体の端部までの部分が、前記一対の起立片の内側で前記見開き部に固定され、前記第１及び第２の折り目間に形成された把持部で、略中央部に開口部を有するディスク状の被保持体を把持するとともに、前記把持部に、前記被保持体の開口部に係合する係止片，を設けたことを特徴とする。
【手続補正３】
【補正対象書類名】明細書
【補正対象項目名】０００６
【補正方法】変更
【補正の内容】
【０００６】
主要な形態の一つは、前記係止片を、前記把持部に略半円状の切り込みを形成し、折り返して形成したことを特徴とする。
【手続補正４】
【補正対象書類名】明細書
【補正対象項目名】０００７
【補正方法】変更
【補正の内容】
【０００７】
他の形態は、前記突出シートの第１の折り目に、前記被保持体の一部を挟み込み可能なスリット，を設けたことを特徴とする。更に他の形態は、前記起立シートの第１の折り目又は起立片に設けられたスリット，該スリットに着脱可能に貫通し、前記見開き部を開いた状態で前記突出シートに係合し、該突出シートが前記起立シートの側端から外部に突出するのを防止する係合片，を備えたことを特徴とする。
【手続補正５】
【補正対象書類名】明細書
【補正対象項目名】０００８
【補正方法】変更
【補正の内容】
【０００８】
更に他の形態は、前記起立シートの固定片と前記ベース側シートの見開き部の間に、他の被保持体の収納部を設けたことを特徴とする。更に他の形態は、前記起立シートの固定片に、スリットないし切り抜き部を設けたことを特徴とする。
【手続補正６】
【補正対象書類名】明細書
【補正対象項目名】０００９
【補正方法】変更
【補正の内容】
【０００９】
更に他の形態は、前記起立シートの一対の起立片に、前記見開き部を開いたときに起立片の内側又は外側に折り返し可能な折り返し部を切り込みによって形成し、該折り返し部の折り返しによって、他の被保持体を保持可能な窓を形成したことを特徴とする。更に他の形態は、前記折り返し部に、筋，凹凸，折り目，切り落とし部の少なくともいずれかを設けたことを特徴とする。
【手続補正７】
【補正対象書類名】明細書
【補正対象項目名】００１０
【補正方法】変更
【補正の内容】
【００１０】
更に他の形態は、前記ベース側シート又は起立シートの少なくともいずれかに、ミシン目を設けたことを特徴とする。更に他の形態は、前記ベース側シートに、前記境目に跨る切り込みによって、前記見開き部を開いたときに前記ベース側シートに対する起き返しにより前記境目の折り癖を矯正する折り癖矯正片を形成したことを特徴とする。
【手続補正８】
【補正対象書類名】明細書
【補正対象項目名】００１１
【補正方法】変更
【補正の内容】
【００１１】
本発明の前記及び他の目的，特徴，利点は、以下の詳細な説明及び添付図面から明瞭になろう。
【手続補正９】
【補正対象書類名】明細書
【補正対象項目名】００１２
【補正方法】変更
【補正の内容】
【００１２】
本発明は、ベース側シートを開いたときに、見開き部分に立ち上がる起立片の内側に収納されていたディスク状の被保持体を、略帯状体を複数の位置で折り返した突出シートによって把持した状態で、前記起立片の側方から外部に突出させることとした。このため、被保持体の安定した保持，封入された被保持体が不要になった後の他用途への利用，封筒以外の形態への適用，見開き時の視覚的効果の向上，のいずれかが可能になるという効果が得られる。
【手続補正１０】
【補正対象書類名】明細書
【補正対象項目名】００８３
【補正方法】変更
【補正の内容】
【００８３】
本発明によれば、ベース側シートを開いたときに、見開き部分に立ち上がる一対の起立片の内側に収納されていたディスク状の被保持体を、略帯状体を複数の位置で折り返した突出シートによって把持した状態で、前記起立片の側方から外部に突出させることとした。このため、見開き状態でコンパクトディスクなどが側方に飛び出すポップアップ構造体の用途に適用できる。特に、雑誌などに綴じ込むポップアップ構造体の用途に好適である。